(57)【要約】      （修正有）【課題】吊下げ状態で洗浄された袋状収容体全体を十分に乾燥することができる袋状収容体の洗浄、乾燥装置を提供する。【解決手段】収容体１の開放端を上下方向に指向した状態で吊下げる保持手段４と、保持手段４を吊下げ支持するとともに収容体１の洗浄及び乾燥部位に設定された移送ラインに沿って移動する移送手段３とを備える。保持手段４は、移送手段３側に取付られる支持部材５と支持部材５に回動可能に装設た収容体１の保持枠体６とから構成され、保持体枠６に４個の作動片８を９０度の等間隔で水平方向に設け、移送ラインの乾燥部位において作動片９を当接させることにより移送中の保持枠体６を回動させる規制部材９を移送ラインの側方に対向して配設する。規制部材９に対する各作動片８の当接開始角度を、移送ラインに対し保持枠体６の回動中心と規制部材９とを９０度で結ぶ線上から１５度〜３５度の範囲先行して当接するように設定する。【選択図】図６
2006326563.tif 000002
【特許請求の範囲】
【請求項１】
袋状の収容体を吊持しながら移送して該収容体の内部を洗浄、乾燥する装置であって、前記収容体の開放端を上下方向に指向して状態で吊り下げ状に保持する保持手段と、該保持手段を吊り下げ状に支持するとともに前記収容体の洗浄及び乾燥部位に設定されたて移送ラインに沿って移動する移送手段とを備え、前記保持手段は、前記移送手段側に取り付けられる支持部材と該支持部材に回動可能に装設されかつ前記収容体の開放側を開口状態で保持する保持枠体とから構成され、前記保持体枠には４個の作動片を９０度の等間隔で水平方向に設け、前記移送ラインにおける少なくとも乾燥部位において前記作動片が当接することによって移送中の前記保持枠体を回動するための規制部材を該移送ラインの側方に対向して配設し、該規制部材に対する前記各作動片の当接開始角度を、前記移送ラインに対し前記保持枠体の回動中心と該規制部材とを９０度で結ぶ線上から１５度〜３５度の範囲先行して当接するように設定したことを特徴とする袋状収容体の洗浄、乾燥装置。
【請求項２】
請求項１記載の袋状収容体の洗浄、乾燥装置であって、前記保持手段における支持部材と保持枠体との間の回動支承部位に、少なくとも２つ山部と谷部とが９０度の位相差で交互に形成された一対の位置規制座金を組み込んだことを特徴とする袋状収容体の洗浄、乾燥装置。
【発明の詳細な説明】
【技術分野】
【０００１】  本発明は、例えば、粒状のプラスチック原料や各種の食品原材料等を収容するビニール製の袋（本明細書では袋状収容体という。）を再使用に供するために洗浄、乾燥する装置に関する。
【背景技術】
【０００２】  一般に、この種の粒状のプラスチック原料各種の食品原材料等を収容するビニール製の袋（袋状収容体）は、両端が開放された筒状に形成され、その開放両端部において、該開放部（開口部）を閉塞したり開放したりするために縛り紐が内面側に縫着されて構成され、その使用時に際し、一方側の開口部位を縛り紐で縛って閉塞したのち、内部に被収容物を収容し、その後、他方側の開口部位を縛り紐で縛って閉塞して、該被収容物を収容、運搬に供されるものである。
そして、該袋状収容体を再使用する場合は、該袋状収容体の両端を開放した状態において、袋状収容体、とくに、内部を洗浄し、乾燥させて、所望の形状に折り畳んで、被内容物の収容工程（工場等）に搬送して、再使用に供されるものであるが、従来、前記袋を洗浄、乾燥する場合、洗浄、乾燥部位に設置された移送ラインに袋状収容体をその開口部位を上下方向にして吊り下げ状に保持し、この移送ラインにより当該洗浄、乾燥部位に袋状収容体を移送し、その洗浄と乾燥の各作業を行っているのが現状である。
なお、上記手段はいずれも現場において任意に行われている手段のため、とくに、特許文献としては未調査である。
【発明の開示】
【発明が解決しようとする課題】
【０００３】  しかしながら、上記した洗浄、乾燥手段ににあって、とくに、乾燥手段においては、熱風により十分に乾燥できるものであるが、前記したように、袋状収容体には、その両端開口部位を縛って閉塞する縛り紐が縫着されているため、該縫着部まで十分に乾燥させることができず、満足するものではなかった。
そこで、本発明は、上記した問題点に鑑み、吊り下げ状態で洗浄された袋状収容体全体を十分に乾燥することができる袋状収容体の洗浄、乾燥装置を提供することを目的としたものである。
【課題を解決するための手段】
【０００４】  上記した目的を達成するために、請求項１の発明は、袋状の収容体を吊持しながら移送して該収容体の内部を洗浄、乾燥する装置であって、前記収容体の開放端を上下方向に指向して状態で吊り下げ状に保持する保持手段と、該保持手段を吊り下げ状に支持するとともに前記収容体の洗浄及び乾燥部位に設定されたて移送ラインに沿って移動する移送手段とを備え、前記保持手段は、前記移送手段側に取り付けられる支持部材と該支持部材に回動可能に装設されかつ前記収容体の開放側を開口状態で保持する保持枠体とから構成され、前記保持体枠には４個の作動片を９０度の等間隔で水平方向に設け、前記移送ラインにおける少なくとも乾燥部位において前記作動片が当接することによって移送中の前記保持枠体を回動するための規制部材を該移送ラインの側方に対向して配設し、該規制部材に対する前記各作動片の当接開始角度を、前記移送ラインに対し前記保持枠体の回動中心と該規制部材とを９０度で結ぶ線上から１５度〜３５度の範囲先行して当接するように設定したことを特徴とするものである。【０００５】  また、請求項２の発明は、請求項１記載の袋状収容体の洗浄、乾燥装置であって、前記保持手段における支持部材と保持枠体との間の回動支承部位に、少なくとも２つ山部と谷部とが９０度の位相差で交互に形成された一対の位置規制座金を組み込んだことを特徴とするものである。
【発明の効果】
【０００６】  請求項１記載の発明によれば、移送ラインにおける移送手段に吊り下げ状に保持された袋状収容体を、乾燥部位において、保持枠体とともに９０度ずつ回動することによって、当該乾燥部位における乾燥手段による乾燥効果（効率）を良化向上することができる。【０００７】  請求項２記載の発明によれば、保持手段における支持部材と保持枠体との間の回動支承部位に組み込んだ一対の位置規制座金によって、該保持枠体の９０度ずつの回動姿勢を確実に保持することができる。
【発明の実施するための最良の形態】
【０００８】  以下、本発明を実施するための最良の形態について、実施例にしたがって説明する。
【実施例】
【０００９】  本実施例における袋状収容体１は、図１に示すように、複数層のビニール製の両端が開放（開口）された筒状体から形成され、その両端部位は若干細く形成されて内面から外面にわたりベルト状の縛り紐２がそれぞれ縫着されている。しかして、袋状収容体１は、縛り紐２による縛られた状態においてその開放（開口）端が閉塞され、該縛り状態を解くことによって開放（開口）端が開放されるものである。【００１０】  袋状収容体１の取付部位、洗浄部位、乾燥部位、取外し部位等に対応して設定されたレール等で構成される移送ライン（ともに図示しない）には、該移送ラインに沿ってチェンコンベヤ等の移送手段３が装設され、この移送手段３は適宜駆動手段（図示しない）により前記移送ラインに沿って移動されるように構成されている。【００１１】  前記移送手段３に吊り下げ状に装設された保持手段４は、該移送手段３側に取り付けられる板状のブラケット５ａと該ブラケット５ａの下端に垂下状に固定された支持軸５ｂとからなる支持部材５と、該支持部材５に回動可能に装設されかつ袋状収容体１を取付け保持するドラム状に枠組みされた保持枠体６とから構成されており、該支持部材５の支持軸５ｂに対し前記保持枠体６の上部枠片６ａが回動（間欠回動）可能に支承されている。【００１２】  そして、支持部材５の支持軸５ｂの下端部と保持枠体６の上部枠片６ａ下面との間の回動支承部位においては、少なくとも２つ山部７ａと谷部７ｂとが９０度の位相差で交互に形成された一対の位置規制座金７、７が組み込まれており、これにより、保持枠体６は支持部材５に対して吊り下げ状態で回動（間欠回動）可能に支承されるとともに、一対の位置規制座金７、７により９０度毎に回動位置が保持されるものである。なお、一対の位置規制座金７、７にあっては、保持枠体６が回動されるとき、該保持枠体６側に固定された位置規制座金７の山部７ｂが支持部材５の支持軸５ｂ側に固定された位置規制座金７の山部７ｂを乗り越えてこれにつながる谷部７ａに位置することによりその９０度毎の回動位置が保持されるものである。なお、位置規制座金７、７は、その谷部７ａの底部と山部７ｂの頂点との全高さｈをほぼ６ｍｍ位に設定することが好ましい。【００１３】  また、前記保持枠体６はその外周部において袋状収容体１の開放（開口）端部を開放（開口）状態で嵌合保持するとともに、その保持状態を固止するクランプ手段（図示しない）がその上部外周部に複数個も装設されている。【００１４】  さらに、前記保持枠体６の上部枠片６ａには４本の棒状に適宜長さの棒状に形成された作動片８〜８が９０度の等間隔で水平方向に装設されている。【００１５】  前記移送ラインにおける乾燥部位には、前記移送ラインを構成するレール等から側方に位置された規制部材９が配設されており、この規制部材９は、移送手段３に吊り下げ状に装設された保持手段４の保持枠体６における各作動片８〜８の進行軌跡内に位置されている。
しかして、移送手段３とともに移動（進行）中の保持手段４が規制部材９の側方を通過する際に、作動片８が該規制部材９に当接され、その当接状態を維持しながら離れることによって、その当接状態が維持されている間、保持枠体６が支持部材５の支持軸５ｂを中心として強制的に所定の範囲回動（９０度の範囲毎に間欠回動）されるものであり、該作動片８が規制部材９に対する当接状態が解離されるとその回動が停止されるように構成されている。【００１６】  そして、規制部材９に対する当接片８の当接位置、すなわち、規制部材９に対する各作動片８〜８の当接開始角度αは、前記移送ラインに対し前記保持枠体６の回動中心と該規制部材９とを９０度で結ぶ線Ｌ上から１５度〜３５度の範囲、最も好ましくは２５度の角度で先行して当接するように設定されるものであり、この設定状態に対応するように予め、保持手段４全体を移送手段３に装設するものである。【００１７】  本実施例は上述のように構成されたものであり、移送手段３に吊り下げ状態で装設された保持手段４における保持枠体６に対し袋状収容体１を両端部を開放（開口）した状態で取付け保持したのち、該保持手段４における保持枠体６を該移送手段３とともに、移送ラインを移動（進行）させ、洗浄部位において該袋状収容体１を洗浄し、次いで乾燥部位において乾燥するものである。【００１８】  この乾燥部位において、移送手段３とともに移動（進行）中の保持手段４が規制部材９の側方を通過するに際し、作動片８が該規制部材９に当接され、その当接状態を維持しながら離れることによって、保持枠体６が支持部材５の支持軸５ｂを中心として強制的に所定の範囲、すなわち、９０度の範囲で回動される。そして、該作動片８が規制部材９に対する当接状態が解離されるとその回動が停止される。【００１９】この場合、規制部材９に対する当接片８の当接位置、すなわち、規制部材９に対する各作動片８〜８の当接開始角度αを、図６に示すように、前記移送ラインに対し前記保持枠体６の回動中心と該規制部材９と９０度で結ぶ線Ｌ上から１５度〜３５度の範囲、最も好ましくは２５度の角度で先行して当接するように設定してあるため、該保持枠体６を支持部材５に対してほぼ９０度の範囲で正確に回動することができる。
そして、該移送ラインに対し所定の間隔で規制部材９を複数箇所（４ヶ所）配設することにより、該保持枠体６を支持部材５に対してほぼ９０度毎に３６０度の範囲で間欠的に回動することができる。【００２０】  これにより、保持枠体６に保持された袋状収容体１全体、とくに、ベルト状の縛り紐２を縫着した部位をも効率よく乾燥することができるものである。【００２１】  さらに、前記保持枠体６の回動状態にあって、保持枠体６が回動されるとき、該保持枠体６側に固定された位置規制座金７の山部７ｂが支持部材５の支持軸５ｂ側に固定された位置規制座金７の山部７ｂを乗り越えてこれにつながる谷部７ａに位置することによりその９０度毎の回動位置を正確に保持することができる。
この場合、支持部材５の支持軸５ｂに係る保持枠体６全体及び袋状収容体１との重量に対応して位置規制金具７における谷部７ａの底部と山部７ｂの頂点との全高さｈをほぼ６ｍｍ位に設定することにより、保持枠体６の回動に伴って該保持枠体６側に固定された位置規制座金７の山部７ｂが支持部材５の支持軸５ｂ側に固定された位置規制座金７の山部７ｂを確実に乗り超えてこれにつながる谷部７ａに位置することができ、その９０度毎の回動位置が保持されるものである。【００２２】  なお、本実施例においては、規制部材１０に当接する作動片９を棒状に形成したが、板カム状に構成することもでき、その形状については図示のもの限定するものではない。
【図面の簡単な説明】
【００２３】
【図１】本発明の実施の態様を示す袋状収容体の一部破断斜視図である。
【図２】移送手段と保持手段を示す分解斜視図である。
【図３】位置規制座金の取付け状態を示す断面図である。
【図４】一対の位置規制座金を示し、（ａ）は支持軸側、（ｂ）は保持枠体側の位置規制座金の平面図である。
【図５】一対の位置規制座金を示し、（ａ）は支持軸側、（ｂ）は保持枠体側の位置規制座金の側面図である。
【図６】作動片と規制部材の関係を示す説明図である。
【符号の説明】
【００２４】  １  袋状収容体
３  移送手段
４  保持手段
５  支持部材
６  保持枠体
７  位置規制座金
８  作動片
９  規制部材
【図１】
2006326563.tif 000003
【図２】
2006326563.tif 000004
【図３】
2006326563.tif 000005
【図４】
2006326563.tif 000006
【図５】
2006326563.tif 000007
【図６】
2006326563.tif 000008